(57)【要約】　　　（修正有）【目的】空気感染やカビなどの生成を防ぎ、シックハウス症候群などの空間環境汚染を防止する遠赤外線放射球の提供である。【構成】印加電圧で一次コイル電極の電界と磁界が比誘電体損の共鳴エネルギーが陽極酸化の遷移金属板二次コイル電極間の鏡像エネルギーが系列の遠赤外線光として放射する。すなわち遷移金属板を陽極酸化した包括同時結束する放射体ハウジング１０に発熱体１３及び絶縁体１２ａと・１２ｂの絶縁・断熱体の各層の遠赤外線放射球主要４層にステンレス球面１１を・組込み、ハウジング底面１０ａと包括同時結束し構造化した遠赤外線放射球である。【選択図】図２
2004087447.tif 000002
【特許請求の範囲】
【請求項１】
遠赤外線光を放射する放射体表面に遷移金属板を設けた平板状に構成されたハウジングと。
此のハウジング内に内蔵され通電により発熱する発熱体は、マイカ基板などに電気抵抗値を具備する線を絶縁材を挾み２線１対で電界・磁界の増幅を１０％以上を求め等間隔にオームの法則で計算したコイル巻数を定め、あらかじめ計算数値でカイカ基板に切溝した発熱マイカ基板に巻回線して構造化することと。
放射表面の遷移金属板と発熱体の微電流を絶縁する熱伝導性に優れたマイカ絶縁板などと、又は其の絶縁板に電界・磁界の共鳴振動イオン化微電流と熱伝導性を高める方法として微細孔を複数ランダムに開孔すること。
発熱体から通電により発熱する微電流を絶縁・断熱する断熱板マイカなどと、断熱板と特定の位置に結束する、工業用金属材ホチキス及びリベットなどで一定の間隔で固定した断熱マイカ基板とで構造化する４層構造化の遠赤外線放射球Ｍｘの原則要部構成。
【請求項２】
請求項１記載の遠赤外線放射球Ｍｘにおいて遠赤外線放射層を有するハウジングの裏面側のほぼ中央部より延設される発熱体と通電可能に接続する着脱可能な筒状のソケット支持体と。
筒状ソケット支持体に代え、外部電源と通電可能で着脱可能な接続用端子及び他部材の接続用端子と。
接続端子において遠赤外線放射球Ｍｘの放射体を応用した対象装置化内部に配列組込む着脱可能な構造を付帯し、Ｍｘ放射体を単独及び複数で応用可能であること。
【請求項３】
請求項１又は２の遠赤外線放射球Ｍｘにおいて、遠赤外線は水素原子が領域区分する原子核を重心にスペクトル線を周運動する半径が無限大に対応してイオンを放出する物性が加電圧でイオン化エネルギーとして、弱いイオン化エネルギーで原子質量を変換すると定義した遠赤外線の構成は、放射材を元素周期表が定義する金属イオン化傾向の大きい金属材を応用し、有機物質および無機物質に吸光さて各物質分子に３，４μ以遠の吸光波数で結合領域で作用する遠赤外線を放射すること。
【請求項４】
有機物および無機物が他の元素と結合反応する元素名固有物性の原子番号・元素記号・原子量（質量概数）の原子量価電子数を、イオン化電圧の弱エネルギーで原子質量に作用し陽イオン化に置換解離させる、遠赤外線放射球Ｍｘが単独個および複数個組込枠内で各振動領域の位相の波長でイオン化学結合の反応をさせること。
【発明の詳細な説明】
【０００１】
【産業上の利用分野】
本発明は、▲１▼ダイオキシン類などあらゆる汚染化学物質に起因する元素の原子質量数の価電子数を陽イオン化解離して化学物質の反応物性を失わせ無質化することは、燃焼処理で気体環境に懸垂する汚染化学物質に起因する付帯材質なども無質化する。
▲２▼生体細胞の金属イオンに電荷的に伝達浸透し、細胞のイオン化ポテンシャルを誘起させ陽イオン化で、殆どが陰イオン生体細胞をイオン化調律し免疫性を維持することと。
▲３▼大量生産に起因する製品などの含有成分の非金属元素材にイオン化作用して極性度の強い含有合成元素材に電気的（イオン的）に接続すると即刻乾燥硬化することが可能な遠赤外線放射球Ｍｘに関するものである。
【０００２】
【従来の技術】
遠赤外線放射球（特許取得２９５２２６４号）は抵抗値線をコイル状に単線で構造化して物質の極性に分子間力でイオン的結合の乾燥硬化の目的であったが。一方では近代化に起因する大量生産システムの観念が、インク・塗料・接着材や合成樹脂などで製品化で、他の元素と結合反応性の強い非金属元素５〜７族の材料が中心になっているが熱風による処理物質に気体接触する処理法が一般的な技術で、熱化学反応が代表的なに乾燥硬化の効果促進であった。
【０００３】
此等に共通する点は遠赤外線であっても物質に吸光し原子励起差の波長で固有振動のイオン的な化学結合の反応ではなく、赤外線熱光の強エネルギーを遠赤外線弱エネルギーでも省エネ的に同等の物性効果があるものとして遠赤外線ヒータとして取扱われてきた。
本来、遠赤外線はイオンを放出し各物質の極性に分子間力で結合してイオン的化学結合でイオン（少さいエネルギー電荷）で原子を置換する位相のエネルギーである。
【０００４】
本願発明は、従来の赤外線領域が含まれる波長領域を遠赤外線に限定した、有機化合物および無機物などに有効に光合成作用をするために、ハウジング内の通電により発熱する発熱体を遠赤外線放射力を３．４μ位相波長を波数上限度としコイル巻き形状及び抵抗値を厳密に選定してある。
【０００５】
【発明が解決しようとする課題】
遠赤外線放射球Ｍｘによれば、放射面の遷移金属板から陽イオンが放射され有機・無機物質や非金属元素等に静電気力の正・負の電荷量作用で物質に分子的反応・イオン的反応・ラジカル反応・光合成反応で、従来の構造化製品の乾燥硬化に優れた物性に加え。
ダイオキシン類の毒性等量の塩素原子量の価電子数を陽イオン化電離し無質化にする。
室内の空間環境の空気主成分（非金属の酸素２４％・窒素７５％）の原子量の価電子数を陽イオン化解離し基礎原子数を閉殻で反応性を減衰と、正・負の電荷量の交換で等しくし各化学反応などで、空気感染やカビなどの生成を防ぎ、シックハウス症候群などの空間環境汚染を防止する遠赤外線放射球Ｍｘを提供できる。
【０００６】
遠赤外線の領域結合反応が、陽・陰イオンの電荷の交換などで電荷量を等して結果的に優れた乾燥硬化や無質化の空間環境を表現するが、生体細胞の９７％以上が非金属元素の存在率に生化学および分子生物の有機物非金属元素・無機物質に陽イオンは鎖イオン的にキレートなど電子配置など、２．２％以上の金属元素の存在率に活性化作用してイオン化ポテンシャル誘発やイオン電圧の発電・補酵素の生成に関わる作用と反応ができる遠赤外線放射球Ｍｘを提供する。
【０００７】
【課題を解決するための手段】
目的を達成するため本発明の遠赤外線放射球Ｍｘは、金属板により形成される平板状のハウジングと、此のハウジング内に内蔵され通電により発熱する発熱体は、マイカ基板などに電気抵抗値を具備する線を絶縁材を挾み２線１対で等間隔にコイル巻で発熱構造化する発熱体と、放射面の遷移金属板と発熱体間の微電流を絶縁する熱伝導性に優れたマイカなど絶縁板と、又は其の絶縁板に電界・磁界振動イオン化微電流と熱伝導性を高める方法として微細孔を複数ランダムに開孔すると、発熱体と断熱板と工業用ホチキスなどで特定位置で等間隔に結束構造を特徴とする遠赤外線放射球Ｍｘである。
【０００８】
【遠赤外線放射球Ｍｘの作用】
此の発明によれば、光が定義する遠赤外線系列のスペクトル線の波数のエネルギー準位はフント系列からブラケット系列への遷移除数差のエネルギーは、核を重心に周運動するスペクトル線半径が無限大に対応して２千倍以上のイオンを放出し加電圧でイオン化電圧エネルギーとして量子数で放射作用する。
フント系列の遠赤外線放射波を質量が吸収して基底準位から励起遷移の発光は同じ波長で作用し領域光を物質は吸光して励起振動でイオン的反応や分子間的反応やラジカル反応を励起振動で促進する。
【０００９】
有機・無機物質が他の元素と結合反応する元素の原子数量の質量概数の価電子数に作用して陽イオン化電離して元素の反応性を失わせ、各分子間力が化合物を構造化する元素の電気陰性度の数値差が２以上でイオン性結合させ、２以下は共有結合である。
【００１０】
全ての物質は生体細胞を含め正電荷の原子核と負電荷の電子からできている。遠赤外線イオン放射すると、生体細胞内の２．２％の正電荷の金属元素に接続し生体内に浸透し金属元素イオンは活性化で非金属元素をイオン化ポテンシャルを誘発や他の反応を促進する作用をする。
【００１１】
【遠赤外線放射球Ｍｘの実施例】
以下、此の発明の実施例を図面に基ずき詳細に説明する。
図１は此の発明に係わる光が定義するフント系列の遠赤外線放射球Ｍｘの構造化側面図であり、図２は図１におけるＡ−Ａ線部の説明用の断面図である、同図に於いて符号１０は放射面に陽極酸化処理した遷移金属放射板と発熱放射体コイル基板１３と絶縁体１２ａと絶縁断熱体１２ｂの４層の放射構造を、遷移金属放射材で底面１０ａのステンレス板と放射球面形状ステンレス球面板１１の構造化用途の異なる６層積を包括し壱対に加圧結束し形状化した放射体ハウジングである。
【００１２】
遠赤外線放射体１０は、自由電子が多いイオン化列属の遷移金属板を陽極酸化処理した材料を用い加電圧エネルギーで位相波長の陽イオンが放射する物性材を用いてある。
【００１３】
遠赤外線放射体は発熱コイル基板１３と遷移金属板１０と絶縁板１２ａに依って構成されている。発熱体１３は図３に示すように放射体ハウジング１０の形状に合わせた円板状マイカ基板１３ａを作成し、此の１３ａの外周に放射結合の吸光波数に適合する抵抗値２線１対のコイル巻線数の溝部１３ｂを形成し、此の溝部１３ｂにニケルクロム線による通電発熱線１３ｃ（材質：ＮＣＨＲＩもしくはＨＣＨＷＩ）を２線１対のコイル巻線で用いられている。
【００１４】
図３は、発明の遠赤外線放射球Ｍｘの能力を決定する電界・磁界の共鳴エネルギーが、遷移金属板と合成で化学結合領域で陽イオン放射・吸光振動・合成熱等位相の波長を放射の要因部の発熱体は、マイカ基板３０を切溝３１を施しオームの法則で計算された抵抗値２線１対３２をコイル状に巻き、工業用ホチキス３３で絶縁・断熱板と結束し３４の電気導入通電線孔から３５の返還通電線を介し３４・３５は１６に接続する。
【００１５】
此の発熱体１３の上面側と放射体ハウジング形状体１０の放射面裏側との間隙形状に合わせた円板状の絶縁体１２ａが配置されている。此の絶縁体は発熱体の電界と遷移金属板の加電圧の共鳴エネルギーによる磁界を調律制御するマイカ種類とマイカ厚み及び微細孔加工などで比誘電体の役割を持ち遠赤外線放射体の物性力が定まる。
【００１６】
発熱体１３の下側、すなわち球面放射の結束基底のステンレス球面板１１との間隙には絶縁作用と断熱作用のマイカ板１２ｂが放射ハウジングに合わせ円状板で設けてある。
【００１７】
１４は筒状の放射体の支持部である。放射ハウジング１０の底面１０ａの中心部に設けられた開口部１０ｂに１４筒状支持部の端部を押嵌めされ、且つ端部をカシメなどに依って放射ハウジング１０の底面１０ａから突出すように取付固定し、其の突端に側に従来より市販されている通電用の規格部品Ｅ２６ソケット部１５を、１４筒支持部と碍子などで絶縁させ装着固定してある。
【００１８】
１６ａ及び１６ｂは発熱体１３における通電・発熱線１３ｃの始端側および終端側から分岐引出された電流の通電線であり、それぞれ放射ハウジング内部の発熱線１３ｃの始・終端部に結束接続されている。
【００１９】
此の発明に係わる遠赤外線放射球Ｍｘは、基準加電圧エネルギーで発熱体１３は発熱し放射体面１０との間隙に設けてある絶縁板１２ａの比誘電体損で０．００６ｍｍＡ以上のイオン化電圧エネルギーを放射ハウジングの放射体上面１０から位相の波長で陽イオン化エネルギーを放出する。
【００２０】
此の遠赤外線放射球Ｍｘの無質化の実験を下記の内容で施行した。
2004087447.tif 000003
此の実験結果を表１に分析試験結果を示す。
【００２１】
分析試験結果にともなって表２に価電子数の置換解離し元素が反応性を失うプロセスを核外電子配置で説明する。
【００２２】
【発明の効果】
遠赤外線放射球Ｍｘが物質に陽イオン放射すると有機物原子の電気陰性度数値の強弱で引き付ける分子間力で物質に吸収され、物質構造化元素の陽・陰のイオン量を等し結果的に乾燥硬化をするが電気陰性度の数値の高い程効果的になる。又、原子量の反応質量数の価電子数を陽イオン置換解離して原子の反応性を無質化にする。
【００２３】
陰性度数値の高い汚染化学物質など陽イオン放射光を吸光し価電子数は置換解離されて空気元素の無質化などで環境の改善が可能になる。
【００２４】
陰性度高数値の非金属元素の存在率９７％以上の生体細胞内に含有分布する２．２％の金属イオンと伝達しイオン化ポテンシャルなど酵素活性で鎖イオン的キレートで免疫体質を可能にする。
【００２５】
【発明の用途】
光が定義するフント系列の遠赤外線放射球Ｍｘは陽イオン放射作用で物質の極性の分子間力で吸光し元素構造化の原子に励起振動でイオン化のイオン化学結合で反応する対象・応用・効果を以下に列記する。
2004087447.tif 000004
2004087447.tif 000005
【００２６】
表３に東京都立衛生研究所のＭＲＳＡメチシリン耐性黄色ブドウ球菌・大腸菌・緑のう菌の３葉の吸光励起の振動開裂を試験検査成績書で示し、表４に遠赤外線放射球を組込んだ乾燥効果の実証例を示す。
【００２７】
請求項３及び請求項４記載の発明によれば、遠赤外線陽イオン光放射を吸光した物質は元素極性に分子間力で結合浸透し、元素の原子質量数の価電子数を陽イオン化解離させて化学物質の原子価を置換する作用は、生体の免疫性体質・環境改善・乾燥硬化などの向上を図ることができる。
【００２８】
遠赤外線光は、リュードベリ定数が水素原子スペクトル線フント系列で核を重心の軌道半径が無限大に対応した２千倍以上のイオンを放出して、原子のイオン化学結合の反応を微少電気エネルギー（イオン電荷）で原子置換するもので、スペクトル線の半径を無限大軌道を電界と磁界合成共鳴エネルギー造形し、イオン放出量に基調する振動波数が熱を伴って放射するのが遠赤外線光で、効果的に弱熱エネルギーで作用・反応するのと異なる。
【図面の簡単な説明】
【図１】此の発明に係わる遠赤外線放射球Ｍｘの側面図。
【図２】図１におけるＩ−Ｉ線部の説明用の縦断面図。
【図３】此の発明に係わる遠赤外線放射球Ｍｘに用いる発熱体を平面図で示す。
【符号の説明】
１０．　放射体ハウジング
１１．　ステンレス球面体
１２．　絶縁体
１３．　発熱体
１４．　筒状支持部
１５．　通電用ソケットＥ２６
１６．　発熱体の通電用線
【図１】
2004087447.tif 000006
【図２】
2004087447.tif 000007
【図３】
2004087447.tif 000008